(57)【要約】【課題】日本中の生活の中で仏壇を使ってもらい先祖の御祀りの仕方を現代生活のスタイルに溶け込ませるには？と云った課題の中で、仏壇は物物しくなく、どこにでも持って行けて、それでいて軽軽しくもない、そう云った仏壇をかばん式の仏壇として提供する事。【解決手段】解決の手段としては色んな面で社会への提案が必要で、たとえば仏壇のインテリア性、法事のレジャー化。一例として、今度の法事は親兄弟と共に○○旅館で、お坊さんは旅館の近くから来てもらい、仏壇は旅館の床の間に置き、となる。  尚本考案は、仏壇をかばんに収めたことを特徴とし難燃性で強固、又かばんの取手は脱着可能とした。そして仏具等最小限はかばん式の仏壇の中に収納している、と云ったかばん式の仏壇を提供する。【選択図】図１
0003136739.tif 000002
【実用新案登録請求の範囲】
【請求項１】
仏壇をかばんに収めたことを特徴とする、かばん式の仏壇。
【請求項２】
かばんの構成材と内側の木組み仏壇の間に消火薬剤を貼り付け難燃性とした請求項１に記載のかばん式の仏壇
【請求項３】
かばんの中の木組み枠が角を持ち合わせることにより、耐ネジレ、耐ユガミ、及び強度保持を付与した請求項１〜２記載のかばん式の仏壇。
【請求項４】
かばんに取手を付け、手で提げられる様にした請求項１〜３記載のかばん式の仏壇。
【請求項５】
かばんの取手が脱着可能にした請求項１〜４記載のかばん式の仏壇。
【考案の詳細な説明】
【技術分野】
【０００１】本考案は、かばん式の仏壇に関するものである。
なお本明細書でいう仏像とは想定上の仏像である。
【背景技術】
【０００２】古くから日本の住宅には仏壇があり先祖をお祀りした。しかし近代の住宅の洋風化、マンション化、又人の移動転宅がひんぱんに有る時代には仏壇を保有しお祀りすることが困難になってきた。【０００３】現代は住環境を考慮した小型の仏壇が各メーカーから提供されているが、まだ多くの家庭に普及していない。【０００４】現在、箱型、小型化された仏壇が提案されており一例として下記特許文献を上げる。
【特許文献１】登録実用新案第３１１０７７８号卓上仏壇
【特許文献２】特許公開２００３−０６１８１１号仏壇
【０００５】特許文献１に記載の卓上仏壇は箱型構造で蝶番を介して一体化する蓋に戒名表記部と本尊表記部を設け箱本体に引出し及び格納可能な載置板を設けた卓上仏壇で蓋を閉じた時には気品さえ感じられる。（特許文献１の図２）【０００６】特許文献２に記載の仏壇は、収納箱を備えた仏壇でかつ持ち運びが可能又静置用ともなる仏壇で箱本体に仏具を収納し蓋を前後にスライドさせ直立状態で御本尊の掛け軸や仏像等を配置可能とした仏壇である。【０００７】特許文献１ないし２共〔請求の範囲〕には、かばん及び取手、又は脱着可能な取手の記述はない、又仏壇の難燃性、強度といった点においていづれも記述はなく、そして本考案のかばん式の仏壇は、外見上はかばんのイメージであるが蓋を開けると仏壇としての機能を有する点において大きく異なる。
【考案の開示】
【考案が解決しようとする課題】
【０００８】本考案は仏壇が開閉自在の蓋と引出しの部材を有した、かばん式の仏壇であって、蓋を開けた時は仏壇として機能し、蓋を閉じた時はかばんになる、かばん式の仏壇を提供する。【０００９】本考案のかばん式の仏壇は顧客にとって二つとない遺影や位牌を収納するので難燃性のかばん式の仏壇を提供する。【００１０】本考案のかばん式仏壇は、転居時等は手提げかばんの様に移動が容易なため、耐ネジレ、耐ユガミに耐え得る強固なかばん式の仏壇を提供する。【００１１】本考案のかばん式の仏壇は、外部構成要材のかばんの取手において不要な時は取手を取り外しておくことができる脱着可能な取手を有するかばん式の仏壇を提供する。
【課題を解決するための手段】
【００１２】解決手段の第一は、かばん本体と蝶番を介して一体化する蓋を有するかばんの中に仏壇を組み込んだことを特徴とする。【００１３】解決手段の第二は、上記かばんの構成材と木組み仏壇枠との間に消火薬剤を貼り付け難燃性としたことを特徴とする。【００１４】解決手段の第三は、かばんの中に仏壇の木組みを実施したことで、耐ネジレ、耐ユガミの効果が得られ強固であることを特徴とする。【００１５】解決手段の第四は、かばん式の仏壇のかばんの取手の部分において、取手が不要と思われる時は取り外しておき必要な時に再度取り付けることができる。取手の脱着が可能であることを特徴とする。
【考案の効果】
【００１６】請求項１は、かばん本体と蝶番を介して一体化する蓋を有するかばんの中に仏壇が有ることを必須の構成要件とし蓋を開けたら仏壇となり閉めたらかばんになって収納、移動ができる効果がある。【００１７】請求項２は、かばんの構成材と内側の木組み仏壇の間に消火薬剤を貼り付け難燃性とした効果がある。【００１８】請求項３は、かばん式の仏壇の木組みの各構成材の板が角を持ち合わせる事により、耐ネジレ、耐ユガミ、と強度保持、より強固な効果がある。【００１９】請求項４は、仏壇をかばんに入れ、そのかばんに手で提げるための取手が付いていることにより持ち運びが容易である効果がある。【００２０】請求項５は、かばんの取手が脱着可能であり必要な時には付けておき不要な時には取り外しと仏壇としての機能的な効果がある。
【考案を実施するための最良の形態】
【００２１】図１は、本考案のかばん式の仏壇が完成の後に各所を説明のため蓋を開けた状態の全体斜視図。
図２は、本考案のかばん式の仏壇のかばんの部分を説明する
0003136739.tif 000003
脱着可能である。
図３は、本考案のかばん式の仏壇を構成する木枠の全体斜視図で▲Ｌ▼の仕切り板が当仏壇の前後の中程より後ろに位置していることを示す。
図４は、本考案のかばん式の仏壇の蓋を閉めた様子を示すための全体斜視図。
図５は、本考案のかばん式の仏壇の〔図１〕の▲ａ▼−▲ｂ▼の縦方向に破断した断面図。
図６は、本考案のかばん式の仏壇の構成部品の仏具入れの引出しの全体斜視図。【００２２】各図において本考案のかばん式の仏壇は、図２のように加工したかばんに木材で作った木枠を組み込んだものである。【００２３】
0003136739.tif 000004
そしてこのかばん本体の内側に消火薬剤を貼り付ける、なお
0003136739.tif 000005
り付けるものとし、この取手は脱着可能とする。【００２４】図３を参照に、図２で作成のかばんの中に組み入れる様寸法取りをして図のごとく木枠を作る、木枠の外週部▲Ｉ▼
0003136739.tif 000006
のものの強度をもたせる。そしてこの木枠の外側に消火薬剤を貼り付け、下段に図６の仏具入れの引出しを差し込む。【００２５】以上図３の仏壇木枠を図２のかばんの中に入れ図２のかばんと図３の木枠を要所において固定したら完成。
【図面の簡単な説明】
【００２６】
【図１】本考案の完成図で各部の機能を示すため総てを開放した全体斜視図。
【図２】本考案の側を成すかばんの全体斜視図。
【図３】本考案の内部構成要因である仏壇木枠の全体斜視図。
【図４】本考案の完成図で蓋を閉めた時の全体斜視図。
【図５】図１の▲ａ▼−▲ｂ▼を縦方向に破断した断面図。
【図６】本考案の仏具入れで壇座下に入れる引出しの全体斜視図。
【符号の説明】
▲ａ▼−▲ｂ▼    縦方向に破断の場所
▲Ａ▼    かばん本体
0003136739.tif 000007
▲Ｃ▼    蝶番
0003136739.tif 000008
▲Ｅ▼    かばんの取手
0003136739.tif 000009
▲Ｆ▼    紐
▲Ｇ▼    紐の止め具
0003136739.tif 000010
▲Ｉ▼    木枠の天板
▲Ｊ▼    壇座
▲Ｋ▼    木枠の底板
▲Ｌ▼    仕切り板
▲Ｍ▼    仏像を固定するための穴
▲Ｎ▼    仏具入れ
0003136739.tif 000011
▲Ｏ▼    遺影入れ
▲Ｐ▼    想定上の仏像
▲Ｑ▼    消火薬剤
【図１】
0003136739.tif 000012
【図２】
0003136739.tif 000013
【図３】
0003136739.tif 000014
【図４】
0003136739.tif 000015
【図５】
0003136739.tif 000016
【図６】
0003136739.tif 000017